(57)【要約】【課題】花瓶に入れて切花の延命に使用することが気兼ねなく行えるとともに、花瓶に入れたときに装飾効果も発揮できるようにする。【解決手段】ハート形や星形など、形状に装飾性を付与すべく内外に出入りする直線および／または曲線からなる装飾形状付与縁２２が外周縁に形成された銅板２１と、該銅板２１を花瓶の中で起立状態に保持すべく、切花５２の茎５２ａなどに取り付けられるゴムバンドなどからなる保持手段を備えた切花延命装飾具１１。【選択図】図１
0003140980.tif 000002
【実用新案登録請求の範囲】
【請求項１】
当該銅板の形状に装飾性を付与すべく内外に出入りする直線および／または曲線からなる装飾形状付与縁が外周縁に形成された銅板と、
該銅板を花瓶の中で起立状態に保持する保持手段を備えた
切花延命装飾具。
【請求項２】
前記銅板が純銅からなるものである
請求項１に記載の切花延命装飾具。
【請求項３】
前記保持手段が、吊り下げることで銅板を起立状態にする吊り下げ部材である
請求項１または請求項２に記載の切花延命装飾具。
【請求項４】
前記吊り下げ部材が透明の部材からなる
請求項３に記載の切花延命装飾具。
【請求項５】
前記吊り下げ部材がゴムバンドからなる
請求項３または請求項４に記載の切花延命装飾具。
【請求項６】
前記吊り下げ部材が屈曲可能な線材からなる
請求項３に記載の切花延命装飾具。
【請求項７】
前記保持手段が、下側を支えることで銅板を起立状態にする支持台である
請求項１または請求項２に記載の切花延命装飾具。
【請求項８】
前記支持台が、突き刺された切花の茎を保持する複数の孔部を有する
請求項７に記載の切花延命装飾具。
【請求項９】
前記保持手段が、切花の茎に引っ掛けることで銅板を起立状態にする穴またはフック状の部分を有する係合部である
請求項１または請求項２に記載の切花延命装飾具。
【考案の詳細な説明】
【技術分野】
【０００１】
この発明は、花瓶に生けた切花を延命させる切花延命具に関し、より詳しくは、延命とともに美麗に生けることもできるようにする切花延命装飾具に関する。
【背景技術】
【０００２】
切花を延命させるため、古くから１０円玉が用いられてきた。つまり、花を生ける花瓶に１０円玉を投入するのである。すると、１０円玉が銅を含んでいることから、銅イオンの作用によって細菌の増殖が抑えられ、切花の切り口の腐敗や痛みが抑制され、この結果、水揚げを確保して、延命が図れるというものである。
【０００３】
しかし、１０円玉はあくまでもお金であるので、罪悪感をもたらすなどの問題がある。
【０００４】
１０円玉を用いるほかに、漂白剤や専用の延命剤などの薬剤を用いることも最近では行われているが、薬剤を用いることに対する抵抗感は少なくなく、また、調合などの面倒さも否めない。
【０００５】
このような状況のなか、下記特許文献１のようなぬめり抑制器が提案されている。これは、銅を主成分とし、動物等の形状に形成されたものである。銅の作用によって花瓶の中の細菌の増殖を抑えるということは１０円玉の場合と同じである。
【特許文献１】登録実用新案第３０４５２７５号公報
【考案の開示】
【考案が解決しようとする課題】
【０００６】
しかし、特許文献１のぬめり抑制器は、単なる板状に形成されたものであり、花瓶内に設置して使用（特許文献１の公報の［００２１］参照）したときに、ぬめり抑制器を側面がわから視認可能にすることはできない。光が花瓶を通して内部に差し込んだときには上、または斜め上から見ることが出来るだろうが、花瓶の中には切花の茎がたくさんあるので、ぬめり抑制器を明確に視認することはできない。このため、特許文献１のぬめり抑制器では、実際上は切花の延命を図ることしかできない。
【０００７】
そこでこの考案は、気兼ねなく使用できる上に、付加価値も有するようにすることを主たる目的とする。
【課題を解決するための手段】
【０００８】
そのための手段は、当該銅板の形状に装飾性を付与すべく内外に出入りする直線および／または曲線からなる装飾形状付与縁が外周縁に形成された銅板と、該銅板を花瓶の中で起立状態に保持する保持手段を備えた切花延命装飾具である。起立状態とは、垂直に立った状態のみを意味するのではなく、傾いて立っている状態も含む意味である。
【０００９】
銅板は保持手段によって花瓶の中で起立状態に保持されるので、側面側から視認することができる。このため、銅板の装飾形状付与縁によって得られる装飾効果を発揮することができると同時に、銅の作用によって切花の延命を図ることができる。
【００１０】
上記の銅板は、純銅からなるものであるとよく、さらには、表面を研磨したものであるのがよい。銅イオンによる作用効果が高く、外観もより美麗になるからである。
【００１１】
上記の保持手段は、吊り下げることで銅板を起立状態にする吊り下げ部材であるも、下側を支えることで銅板を起立状態にする支持台であるも、さらには切花の茎に引っ掛けることで銅板を起立状態にする穴またはフック状の部分を有する係合部であるもよい。
【００１２】
保持手段としての上記の吊り下げ部材は、切花を花瓶に挿すに際して、切花の茎に引っ掛けたり、花瓶の開口縁に引っ掛けたりして固定される。吊り下げ部材には、たとえば糸やゴムバンド、テープなどの適宜のものが使用でき、好ましくは、透明の部材や屈曲可能な線材を使用するとよい。前者の場合には、吊り下げ部材の存在を見えにくくすることができる。後者の場合には銅板を所望の位置に保持することができる。
【００１３】
保持手段としての上記の支持台は、切花を花瓶に挿すに際して、あらかじめ花瓶の中に入れて使用される。この支持台は、突き刺された切花の茎を保持する複数の孔部を備えるものであるとよい。切花を生けるのに花の向きなどの設定は案外と難しいものであるが、これを容易にすることができる。
【００１４】
保持手段としての上記の係合部は、切花を花瓶に挿すに際して、切花の茎に引っ掛けて使用される。
【考案の効果】
【００１５】
以上のように、この考案によれば、銅板による切花の延命効果が得られる上に、保持手段によって銅板を側面側から視認できるようにすることが可能で、銅板に形成された装飾形状付与縁が表現する美麗な外観による装飾効果が得られる。しかも、銅板が切花の茎よりも外周側の花瓶側に位置するように銅板を保持させると、装飾性を有する銅板が茎を隠蔽することにもなり、切花をさらに一層きれいに生けることができる。
【考案を実施するための最良の形態】
【００１６】
この考案を実施するための一形態を、以下図面を用いて説明する。
【００１７】
図１は、切花延命装飾具１１の使用状態を示す斜視図であり、この図に示すように切花延命装飾具１１は、透光性を有する花瓶５１の中に起立状態で保持されて使用され、切花５２の延命と、生けた状態の装飾を図るものである。透光性を有しない花瓶に入れて使用することもできるが、この場合には外側から切花延命装飾具１１を視認不可能であるので、装飾効果は得られない。
【００１８】
このような切花延命装飾具１１は、純銅からなる銅板２１と、この銅板２１を花瓶５１の中で起立状態に保持する保持手段３１で構成される。
【００１９】
銅板２１は、図２に例示したように、適宜の形状に形成される。図２（ａ）はハート形、図２（ｂ）は星形である。すなわち、形状に装飾性を付与すべく内外に出入りする直線または曲線、あるいは直線と曲線からなる装飾形状付与縁２２が外周縁に形成されている。
【００２０】
装飾形状付与縁２２は、具象、抽象の様々な装飾性を付与するものであるとよい。また、外周縁のほかに、図示はしないが内周側にも装飾形状付与縁を形成して、中抜きの状態にすることもできる。外周縁の装飾形状付与縁２２によって表面積が大きくなるが、中抜きの状態にすればそれよりもさらに表面積が大きくなって、切花５２の延命効果はより良好となる。
【００２１】
銅板２１には、保持手段３１を取り付けるために必要であれば、図２仮想線で示したように円形の貫通孔２３などが形成される。
【００２２】
保持手段３１は、吊り下げることで銅板２１を起立状態にする吊り下げ部材３２（図３乃至図７参照）や、下側を支えることで銅板２１を起立状態にする支持台３３（図８、図９参照）、さらには切花５２の茎５２ａに引っ掛けることで銅板２１を起立状態にする穴またはフック状の部分を有する係合部３４（図１１参照）などで構成される。
【００２３】
これらについて以下説明する。  
まず、吊り下げ部材３２を用いた切花延命装飾具１１について説明する。  
図３は、吊り下げ部材３２をゴムバンド（輪ゴム）で構成した例を示す。すなわち、銅板２１の一部に形成された貫通孔２３にゴムバンド３２ａを止めたものである。このゴムバンド３２ａには透明のものが好適に使用される。
【００２４】
図４は、吊り下げ部材３２を透明の糸であるテグス３２ｂで構成した例を示す。すなわち、銅板２１の一部に形成された貫通孔２３にテグス３２ｂを通すとともに、テグス３２ｂの両端を結んで第１結束部３５を形成するとともに、この第１結束部３５よりも銅板２１側の位置に、第２結束部３６を形成する。これらの結束部３５，３６は、実際にテグス３２ｂを結んで形成するほか、他の部材を固定するなどして形成できる。第２結束部３６は、伸縮可能な輪を容易に作るためのものであるので、不要であれば省略することもできる。
【００２５】
図５は、吊り下げ部材３２を透明の樹脂テープ３２ｃで構成した例を示す。すなわち、銅板２１の背面に、樹脂テープ３２ｃの一端部が粘着剤３７により固定されたものである。
【００２６】
これら、図３、図４、図５の場合には、吊り下げ部材３２であるゴムバンド３２ａ、テグス３２ｂ、樹脂テープ３２ｃを、切花５２の茎５２ａに巻きつけたり、縛り付けたり、茎５２ａから出ている葉の部分に引っ掛けたりして、切花５２を花瓶５１に挿したときに銅板２１が起立状態で花瓶５１の中に保持されるようにする。銅板２１は、花瓶５１のなかでも切花５２の茎５２ａより外周側に位置するように保持するのがよい。装飾効果が高まるからである。
【００２７】
図６は、吊り下げ部材３２を屈曲可能な線材３２ｄで構成した例を示す。すなわち、銅板２１の一部に形成された貫通孔２３に線材３２ｄの一端を固定したものである。この線材３２ｄには銅線が好適に使用される。やわらかく使い勝手がよい上に、殺菌作用があるからである。
【００２８】
この場合には、線材３２ｄの上端部をフック状に折り曲げるなどして、図６に示したように花瓶５１の口に引っ掛けて、銅板２１が所望の起立状態になるように保持する。この場合には、重力に従って下がるだけではなく、線材３２ｄの中間部分の形状を適宜つくることによって、花瓶５１の中でも所望の位置、向きに、銅板２１を保持することができる。このため、自由な装飾が容易に行える。
【００２９】
図７は、吊り下げ部材３２を、環状の係止環３８と吊り下げ糸３９とからなる吊り下げ環３２ｅで構成した例を示す。すなわち、花瓶５１の開口部の内側に係止可能な大きさの係止環３８の適宜位置に、または位置移動可能に、吊り下げ糸３９の上端を固定し、吊り下げ糸３９の下端に銅板２１が固定されたものである。係止環３８は金属製であるも樹脂製などであるもよく、より好ましくは、伸縮可能であって、花瓶５１の口の大きさの違いに対応できるものであるのがよい。
【００３０】
この場合には、花瓶５１に切花５２を挿す前段で、係止環３８を花瓶５１の口に係止して銅板２１を吊り下げておく。すると、銅板２１は、花瓶５１の中の外周側できらきらしながらゆれる状態となる。
【００３１】
つぎに、支持台３３を用いた切花延命装飾具１１について説明する。  
図８は、支持台３３を板状の支持板３３ａで構成した例を示す。すなわち、起立状態に立てた銅板２１の下端に、円形の支持板３３ａが溶接等により固定されたものである。この支持板３３ａには銅板を用いるのがよい。また、比重の大きい金属材を用いるもよい。また、１個の支持板３３ａに対して複数個の銅板２１を支持するもよい。
【００３２】
このように構成された切花延命装飾具１１は、花瓶５１に水を入れる前、または水を入れた後に花瓶５１に投入し、所望の位置に設置した状態にして使用される。
【００３３】
図９は、支持台３３を円板状の茎支持具３３ｂで構成した例を示す。すなわち、茎支持具３３ｂは、突き刺された切花５２の茎５２ａを保持する複数の孔部４０を有し、外周面に複数の銅板２１…が固定されている。各銅板２１…の下端が接地したときに、茎支持具３３ｂが浮いた状態になるように、茎支持具３３ｂに対しては銅板２１の高さ方向の中間部が固定されている。
【００３４】
このような構成の切花延命装飾具１１は、花瓶５１に水を入れる前、または水を入れた後に花瓶５１に投入されて使用される。切花５２を生けるときに、切花５２の茎５２ａの下端を孔部４０に挿して生ければ、切花５２の姿勢が安定するので、美麗な生け方が素人でも容易にできる。
【００３５】
最後に、係合部３４を用いた切花延命装飾具１１について説明する。  
図１１（ａ）は、係合部３４を、穴３４ａを有する突片部２４で構成した例を示す。すなわち、銅板２１の上部の適宜位置に、切花５２の茎５２ａを挿通可能な大きさの円形の穴３４ａを有する突片部２４が一体に形成されている。この突片部２４は、銅板２１に対して適宜の角度を有するように形成され、茎５２ａを通して自然に任せたときに、茎５２ａの上で位置決めされる。
【００３６】
図１１（ｂ）は、係合部３４をフック状の部分３４ｂを有するアーム２５で構成した例を示す。すなわち、銅板２１の上部の適宜位置に、切花５２の茎５２ａに対して茎５２ａの端からでなくとも引っ掛けられる略つ字状の部分を有したフック状の部分を有するアーム２５が一体に形成されている。このアーム２５は、つ字状の部分が茎５２ａの表裏に位置して、自然に任せたときに茎５２ａの上で位置決めされる。
【００３７】
これらのような係合部３４を有する切花延命装飾具１１は、切花５２を生けるときに切花５２の茎５２ａに係合して使用される。
【００３８】
以上のように、切花５２の茎５２ａや花瓶５１を利用して花瓶５１の中に起立状態で収められた銅板２１は、銅イオンの作用によって切花５２の延命を図る。同時に、花瓶５２の外側から視認されるので、装飾形状付与縁２２が醸し出す装飾効果を発揮する。このため、切花５２を美麗に生けることができる。しかも、銅板２１が切花５２の茎５２ａを背面側に隠蔽したときには、美麗さはさらに向上することとなる。
【００３９】
この考案の構成と、上記の一形態の構成との対応において、  
この発明の吊り下げ部材は、上記のゴムバンド３２ａ、テグス３２ｂ、樹脂テープ３２ｃ、線材３２ｄ、吊り下げ環３２ｅに対応し、  
以下同様に、  
透明の部材は、ゴムバンド３２ａ、テグス３２ｂ、樹脂テープ３２ｃに対応し、
支持台は、支持板３３ａ、茎支持具３３ｂに対応し、  
係合部３４は、突片部２４、アーム２５に対応するも、
この発明は、上述の構成のみに限定されるものではなく、その他の形態を採用することができる。
【００４０】
たとえば、銅板には打ち出し等により模様を形成することも可能である。また、銅板が立体的な形状にすることもできる。
【図面の簡単な説明】
【００４１】
【図１】切花延命装飾具の使用状態を示す斜視図。
【図２】切花延命装飾具の銅板を示す斜視図。
【図３】保持手段を吊り下げ部材で構成した例を示す切花延命装飾具の斜視図。
【図４】保持手段を吊り下げ部材で構成した例を示す切花延命装飾具の斜視図。
【図５】保持手段を吊り下げ部材で構成した例を示す切花延命装飾具の斜視図。
【図６】保持手段を吊り下げ部材で構成した例を示す切花延命装飾具の斜視図。
【図７】保持手段を吊り下げ部材で構成した例を示す切花延命装飾具の斜視図。
【図８】保持手段を支持台で構成した例を示す切花延命装飾具の斜視図。
【図９】保持手段を支持台で構成した例を示す切花延命装飾具の斜視図。
【図１０】保持手段を係合部で構成した例を示す切花延命装飾具の斜視図。
【符号の説明】
【００４２】
１１…切花延命装飾具
２１…銅板
２２…装飾形状付与縁
２４…突片部
２５…アーム
３１…保持手段
３２…吊り下げ部材
３２ａ…ゴムバンド
３２ｂ…テグス
３２ｃ…樹脂テープ
３２ｄ…線材
３２ｅ…吊り下げ環
３３…支持台
３３ａ…支持板
３３ｂ…茎支持具
３４…係合部
４０…孔部
５１…花瓶
５２…切花
５２ａ…茎
【図１】
0003140980.tif 000003
【図２】
0003140980.tif 000004
【図３】
0003140980.tif 000005
【図４】
0003140980.tif 000006
【図５】
0003140980.tif 000007
【図６】
0003140980.tif 000008
【図７】
0003140980.tif 000009
【図８】
0003140980.tif 000010
【図９】
0003140980.tif 000011
【図１０】
0003140980.tif 000012